(57)【要約】【課題】優れた光学性能を有し、小型の結像光学系及びそれを備えた撮像装置を提供すること。【解決手段】物体側から順に、負の屈折力を有する第１レンズＧ１と、正の屈折力を有する第２レンズＧ２と、正の屈折力を有する第３レンズＧ３と、負の屈折力を有する第４レンズＧ４と、第５レンズＧ５と、第６レンズＧ６と、第７レンズＧ７によって構成され、所定の条件式を満足することを特徴とする結像光学系。【選択図】図１
2020187181.tif 000002
【特許請求の範囲】
【請求項１】
物体側から順に、負の屈折力を有する第１レンズＧ１と、正の屈折力を有する第２レンズＧ２と、正の屈折力を有する第３レンズＧ３と、負の屈折力を有する第４レンズＧ４と、第５レンズＧ５と、第６レンズＧ６と、第７レンズＧ７からなり、以下の条件式を満足することを特徴とする結像光学系。
0.50 ≦ f2/f ≦ 1.15                    ・・・（1-1）
0.38 ≦ f3/f ≦ 1.10                    ・・・（1-2）
0.015 ≦ thi_max/oal ≦ 0.210           ・・・（1-3）
但し、
f : 結像光学系の焦点距離
f2 : 第２レンズＧ２の焦点距離
f3 : 第３レンズＧ３の焦点距離
thi_max : レンズ間隔の最大値(BFは除く)
oal : 光学全長（第１レンズＧ１の物体側面から結像面までの距離）
【請求項２】
以下の条件式を満足することを特徴とする請求項１に記載の結像光学系。
0.50 ≦ |f1|/f ≦ 1.71                    ・・・（2）
但し、
f1 : 第１レンズＧ１の焦点距離
【請求項３】
以下の条件式を満足することを特徴とする請求項１又は２に記載の結像光学系。
0.38 ≦ |f4|/f ≦ 1.32                    ・・・（3）
但し、
f4 : 第４レンズＧ４の焦点距離
【請求項４】
以下の条件式を満足することを特徴とする請求項１〜３のうちの一項に記載の結像光学系。
0.01 ≦ thiG1G2/oal ≦ 0.03               ・・・（4）
但し、
thiG1G2 : 第１レンズＧ１の第２レンズＧ２の間隔
【請求項５】
以下の条件式を満足することを特徴とする請求項１〜４のうちの一項に記載の結像光学系。
0.88 ≦ allthi/f ≦ 2.15                  ・・・（5）
但し、
allthi : 第１レンズＧ１の物体側面から第７レンズＧ７の像側面までの距離
【請求項６】
以下の条件式を満足することを特徴とする請求項１〜５のうちの一項に記載の結像光学系。
1.95 ≦ f567/f ≦ 13.95                   ・・・（6）
但し、
f567 : 第５レンズＧ５、第６レンズＧ６及び第７レンズＧ７の合成焦点距離
【請求項７】
以下の条件式を満足することを特徴とする請求項１〜６のうちの一項に記載の結像光学系。
0.20 ≦ R7/f ≦ 0.43                      ・・・（7）
但し、
R7 : 第７レンズＧ７の像側面の近軸曲率半径
【請求項８】
前記第１レンズＧ１が両凹レンズであることを特徴とする請求項１〜７のうちの一項に記載の結像光学系。
【請求項９】
前記第２レンズＧ２が両凸レンズであることを特徴とする請求項１〜８のうちの一項に記載の結像光学系。
【請求項１０】
前記第５レンズＧ５の物体側面が物体側を向いた凹面であることを特徴とする請求項１〜９のうちの一項に記載の結像光学系。
【請求項１１】
前記第６レンズＧ６の物体側面が物体側を向いた凹面であることを特徴とする請求項１〜１０のうちの一項に記載の結像光学系。
【請求項１２】
前記第７レンズＧ７が負の屈折力を有することを特徴とする請求項１〜１１のうちの一項に記載の結像光学系。
【請求項１３】
前記第７レンズＧ７の像側面が像側を向いた凹面であり、かつ光軸上以外にも変曲点があることを特徴とする請求項１〜１２のうちの一項に記載の結像光学系。
【請求項１４】
開口絞りが前記第２レンズＧ２と前記第３レンズＧ３の間に配置されたことを特徴とする請求項１〜１３のうちの一項に記載の結像光学系。
【請求項１５】
請求項１〜１４のうちの一項に記載の結像光学系と、該結像光学系の結像位置に配置された撮像素子とを備えたことを特徴とする撮像装置。
【発明の詳細な説明】
【技術分野】
【０００１】
本発明は、結像光学系及び結像光学系を備える撮影装置に関する。
【背景技術】
【０００２】
近年、撮像装置の高精度画質化に合わせて、撮像素子の高密度化及び結像光学系の光学的高性能化の要望が強まっている。一方、結像光学系は、携帯電話や小型ドローンに組み込まれるようになり、高い光学性能を維持したまま光軸方向の短縮化すなわち物体側第１面から結像面までの距離を示す光学全長の短縮化を図り、かつ小径化を実現したものが強く求められている。
【０００３】
従来の結像光学系としては、負正正負正正負の７枚の撮像レンズが提案されている（例えば、特許文献１参照）。
また、従来の結像光学系として、負正正負負正負の７枚の撮影光学系が提案されている（例えば、特許文献２参照）。
さらに、従来の光学性能に優れた小型の結像光学系のさらに他のものとして、正・正・負の３つのレンズ群構成であって、合焦時に、第１レンズ群１１および第３レンズ群１３を固定し、第２レンズ群１２を移動させるマクロレンズが提案されている（例えば、特許文献３参照）。
【先行技術文献】
【特許文献】
【０００４】
【特許文献１】特開２０１６−６２０２１号公報
【特許文献２】特開２０１７−１１６９１３号公報
【特許文献３】特開２０１３−２３５２３９号公報
【発明の概要】
【発明が解決しようとする課題】
【０００５】
上述した従来技術において、前記特許文献１、２に提案されたレンズ構成は、屈折力の配置が適切でなく、小型化又は高性能化が不十分である。
【０００６】
前記特許文献３に提案されたマクロレンズにおいては、フォーカスレンズである第２レンズ群の屈折力が弱いため、合焦時の第２レンズ群の移動量が大きくなり、空気間隔の確保が必要になるため、光学全長が長いという問題を有している。
【０００７】
本発明は、従来の結像光学系の上述した問題点に鑑みてなされたものであって、その主たる目的は、優れた光学性能を有し、小型の結像光学系及びそれを備えた撮影装置を提供することにある。
【課題を解決するための手段】
【０００８】
本発明の一態様に係る結像光学系は、物体側から順に、負の屈折力を有する第１レンズＧ１と、正の屈折力を有する第２レンズＧ２と、正の屈折力を有する第３レンズＧ３と、負の屈折力を有する第４レンズＧ４と、第５レンズＧ５と、第６レンズＧ６と、第７レンズＧ７から構成され、以下の条件式を満足することを特徴とする。
0.50 ≦ f2/f ≦ 1.15                    ・・・（1-1）
0.38 ≦ f3/f ≦ 1.10                    ・・・（1-2）
0.015 ≦ thi_max/oal ≦ 0.210           ・・・（1-3）
但し、
f : 結像光学系の焦点距離
f2 : 第２レンズＧ２の焦点距離
f3 : 第３レンズＧ３の焦点距離
thi_max : レンズ間隔の最大値(BFは除く)
oal : 光学全長（第１レンズＧ１の物体側面から結像面までの距離）
【０００９】
本発明の一態様に係る撮影装置は、前記結像光学系と、該結像光学系の結像位置に配置された撮像素子とを備えたことを特徴とする。
【発明の効果】
【００１０】
このような本発明によれば、優れた光学性能を有し、小型の結像光学系及びそれを備えた撮影装置を提供することができる。
【図面の簡単な説明】
【００１１】
【図１】本発明の結像光学系の第１実施例のレンズ構成図である
【図２】本発明の結像光学系の第１実施例の収差図である。
【図３】本発明の結像光学系の第２実施例のレンズ構成図である
【図４】本発明の結像光学系の第２実施例の収差図である。
【図５】本発明の結像光学系の第３実施例のレンズ構成図である
【図６】本発明の結像光学系の第３実施例の収差図である。
【図７】本発明の結像光学系の第４実施例のレンズ構成図である
【図８】本発明の結像光学系の第４実施例の収差図である。
【図９】本発明の結像光学系の第５実施例のレンズ構成図である
【図１０】本発明の結像光学系の第５実施例の収差図である。
【図１１】本発明の撮影装置の実施例の構成説明図である。
【発明を実施するための形態】
【００１２】
本発明の一実施形態に係る結像光学系は、物体側から順に、負の屈折力を有する第１レンズＧ１と、正の屈折力を有する第２レンズＧ２と、正の屈折力を有する第３レンズＧ３と、負の屈折力を有する第４レンズＧ４と、第５レンズＧ５と、第６レンズＧ６と、第７レンズＧ７から構成されることが好ましい。第７レンズＧ７と結像面ＩＭＧの間にカバーガラスＣが配置されることもある。
【００１３】
第１レンズＧ１を負の屈折力を有するようにすることによって、第１レンズＧ１の直径を縮小させ、小型化を図ることができる。
さらに、第２レンズＧ２及び第３レンズＧ３による正の屈折力を分割して配置することによってそれぞれに収差補正を分担させ、高性能化を図ることができる。
【００１４】
さらに、正の屈折力の第３レンズＧ３の像側に負の屈折力の第４レンズＧ４を配置することによって、正の屈折力の第２レンズＧ２及び第３レンズＧ３によって発生した球面収差等を補正し、高性能化を図ることが可能となる。
さらにまた、第５レンズＧ５〜第７レンズＧ７においては、主光線が光軸に対して高い位置で通過するため、像面湾曲や歪曲収差等の補正や主光線入射角度（ＣＲＡ：Chief Ray Angle）の増大化の抑制を効率的に行うことができる。
【００１５】
本発明の一実施形態に係る結像光学系は、以下の条件式を満足することが好ましい。
0.50 ≦ f2/f ≦ 1.15                    ・・・（1-1）
但し、
f : 結像光学系の焦点距離
f2 : 第２レンズＧ２の焦点距離
【００１６】
条件式（1-1）は、結像光学系の焦点距離と第２レンズＧ２の焦点距離の比を規定する。条件式（1-1）を満たすことによって第２レンズＧ２の焦点距離を適切にすることができ、高性能を維持したまま光学全長の短縮化を実現できる。
条件式（1-1）の下限を下回った場合、第２レンズＧ２の屈折力が強すぎ、球面収差等の補正が難しくなり、光学性能の優れた結像光学系が設計しにくくなる。
条件式（1-1）の上限を上回った場合、第２レンズＧ２の屈折力が小さくなり、光学全長の短縮化がしにくくなる。
【００１７】
条件式（1-1）の下限は、より好ましくは0.58であり、さらにより好ましくは0.65である。条件式（1-1）の上限は、より好ましくは1.06であり、さらにより好ましくは0.97である。
【００１８】
本発明の一実施形態に係る結像光学系は、以下の条件式を満足することが好ましい。
0.38 ≦ f3/f ≦ 1.10                    ・・・（1-2）
但し、
f : 結像光学系の焦点距離
f3 : 第３レンズＧ３の焦点距離
【００１９】
条件式（1-2）は、結像光学系の焦点距離と第３レンズＧ３の焦点距離の比を規定する。条件式（1-2）を満たすことによって、第３レンズＧ３の焦点距離を適切にすることができ、高性能を維持したまま光学全長の短縮化を実現できる。
条件式（1-2）の下限を下回った場合、第３レンズＧ３の屈折力が強すぎ、球面収差等の補正が難しくなり、高性能な結像光学系が設計しにくくなる。
条件式（1-2）の上限を上回った場合、第３レンズＧ３の屈折力が小さくなり、光学全長の短縮化がしにくくなる。
【００２０】
条件式（1-2）の下限は、より好ましくは0.43であり、さらにより好ましくは0.49である。条件式（1-2）の上限は、より好ましくは1.01であり、さらにより好ましくは0.93である。
【００２１】
本発明の一実施形態に係る結像光学系は、以下の条件式を満足することが好ましい。
0.015 ≦ thi_max/oal ≦ 0.210           ・・・（1-3）
但し、
thi_max : レンズ間隔の最大値(BFは除く)
oal : 光学全長（第１レンズＧ１の物体側面から結像面までの距離）
【００２２】
条件式（1-3）は、光学全長とＢＦを除くレンズ間隔の最大値の比を規定する。ＢＦを除くレンズ間隔とは、第１レンズＧ１から第７レンズＧ７までのレンズ同士の間隔の中で最大のものを指す。
条件式（1-3）を満たすことによって、レンズ間隔の最大値が適正になり、光学全長の短縮化を容易に実現できる。
条件式（1-3）の下限を下回った場合、各レンズ間隔が短くなり、レンズ機構や合焦機構の配置が困難になる。
条件式（1-3）の上限を上回った場合、レンズ間隔が長くなり、光学全長が短い光学系が設計しにくくなる。
【００２３】
レンズ機構や合焦機構を配置するための空間の大きさ等を考慮すると、条件式（1-3）の下限は、より好ましくは0.017であり、さらにより好ましくは0.019であり、条件式（1-3）の上限は、より好ましくは0.192であり、さらにより好ましくは0.176である。
【００２４】
本発明の一実施形態によれば、本発明に係る結像光学系は、条件式（２）を満足することが好ましい。
0.50 ≦ |f1|/f ≦ 1.71                    ・・・（2）
但し、
f1 : 第１レンズＧ１の焦点距離
【００２５】
条件式（２）は、結像光学系の光学全長と第１レンズＧ１の焦点距離の比を規定する。  条件式（２）を満足することにより、高い光学性能をだしつつ、前玉径すなわち第１レンズＧ１の直径を小さくすることが可能となる。
請求式（２）の下限を下回った場合、第１レンズＧ1の屈折力が強くなり、像面湾曲等の収差補正が難しくなり、高性能な結像光学系を設計することが困難になる。
請求項（２）の上限を上回った場合、第１レンズＧ１の屈折力が小さくなり、第１レンズＧ１の直径が大きくなってしまう。
【００２６】
条件式（２）の下限は、より好ましくは0.58であり、さらにより好ましくは0.65である。条件式（２）の上限は、より好ましくは1.58であり、さらにより好ましくは1.45である。
【００２７】
本発明の一実施形態は、以下の条件式（３）を満足することが好ましい。
0.38 ≦ |f4|/f ≦ 1.32                    ・・・（3）
但し、
f4 : 第４レンズＧ４の焦点距離
【００２８】
条件式（３）は、結像光学系の焦点距離と第４レンズＧ４の焦点距離の絶対値の比を規定する。
条件式（３）を満足することにより、高い光学性能を維持しつつ、光学全長を小さくすることが可能とする。
条件式（３）の下限を下回った場合、第２レンズＧ２及び第３レンズＧ３の正の屈折力に対する負の屈折力が強すぎるため、球面収差の補正が難しくなり、高性能な結像光学系が設計しづらくなる。条件式（３）の上限を上回った場合、第２レンズＧ２及び第３レンズＧ３の正の屈折力に対する負の屈折力が小さくなるため、第２レンズＧ２及び第３レンズＧ３において発生した球面収差等を良好に補正しづらくなる。
【００２９】
条件式（３）の下限は、より好ましくは0.44であり、さらにより好ましくは0.49である。条件式（３）の上限は、より好ましくは1.22であり、さらにより好ましくは1.12である。
【００３０】
本発明の一実施形態によれば、本実施形態に係る結像光学系は、以下の条件式（４）を満足することが好ましい。
0.01 ≦ thiG1G2/oal ≦ 0.03              ・・・（4）
但し、
thiG1G2 : 第１レンズＧ１と第２レンズＧ２の間隔
【００３１】
条件式（４）は、結像光学系の光学全長と第１レンズＧ１の第２レンズＧ２の間隔の比を規定する。
条件式（４）を満足することにより、光学全長の短縮化を容易に実現することができる。
条件式（４）の下限を下回った場合、第１レンズＧ１と第２レンズＧ２の間隔が短くなりすぎて、レンズ機構や合焦機構の配置が困難になる。条件式（４）の上限を上回った場合、前記間隔が長くなりすぎるため、光学全長が短い光学系を設計しにくくなる。
【００３２】
条件式（４）の下限は、より好ましくは0.012であり、さらにより好ましくは0.013である。条件式（４）の上限は、より好ましくは0.026であり、さらにより好ましくは0.024である。
【００３３】
本発明の一実施形態によれば、本実施形態に係る結像光学系は、以下の条件式（５）を満足することが好ましい。
0.88 ≦ allthi/f ≦ 2.15                  ・・・（5）
但し、
allthi : 第１レンズＧ１の物体側面から第７レンズＧ７の像側面までの距離
【００３４】
条件式（５）は、結像光学系の焦点距離と第１レンズＧ１の物体側面から第７レンズＧ７の像側面までの光軸上の距離の比を規定する。
条件式（５）を満足することにより、光学全長の短縮化を容易に実現することができる。
条件式（５）の下限を下回った場合、各レンズの間隔が短くなりすぎて、レンズ機構や合焦機構の配置が困難になる。条件式（５）の上限を上回った場合、各レンズの間隔が長くなりすぎるため、光学全長が短い結像光学系が設計しにくくなる。
【００３５】
条件式（５）の下限は、より好ましくは1.00であり、さらにより好ましくは1.13である。条件式（５）の上限は、より好ましくは1.99であり、さらにより好ましくは1.82である。
【００３６】
本発明の一実施形態によれば、本実施形態に係る結像光学系は、以下の条件式（６）を満足することが好ましい。
1.95 ≦ f567/f ≦ 13.95                   ・・・（6）
但し、
f567 : 第５レンズＧ５、第６レンズＧ６及び第７レンズＧ７の合成焦点距離
【００３７】
条件式（６）は、結像光学系の焦点距離と第５レンズＧ５、第６レンズＧ６及び第７レンズＧ７の合成焦点距離の比を規定する。条件式（６）を満足することにより、高い光学性能を維持しつつ、光学全長の短縮化を容易に実現することができる。
条件式（６）の下限を下回った場合、第５レンズＧ５、第６レンズＧ６及び第７レンズＧ７の正の合成屈折力が強くなりすぎるため、像面湾曲や非点収差の補正が難しくなり、高性能な結像光学系が設計しづらくなる。条件式（６）の上限を上回った場合、第５レンズＧ５、第６レンズＧ６及び第７レンズＧ７の正の合成屈折力が小さくなるため、光学全長を短くしづらくなる。
【００３８】
条件式（６）の下限は、より好ましくは2.33であり、さらにより好ましくは2.51である。条件式（６）の上限は、より好ましくは12.87であり、さらにより好ましくは11.80である。
【００３９】
本発明の一実施形態によれば、本実施形態に係る結像光学系は、以下の条件式（７）を満足することが好ましい。
0.20 ≦ R7/f ≦ 0.43                      ・・・（7）
但し、
R7 : 第７レンズＧ７の像側面の近軸曲率半径
【００４０】
条件式（７）は、結像光学系の焦点距離と第７レンズＧ７の像側面の近軸曲率半径の比を規定する。条件式（７）を満足することにより、高い光学性能を維持しつつ、光学全長の短縮化を容易に実現することができる。
条件式（７）の下限を下回った場合、第７レンズＧ７の像側面の曲率が大きくなり負のパワーが強くなりすぎて、像面湾曲や非点収差の補正が難しくなり、高性能な結像光学系を設計しづらくなる。条件式（７）の上限を上回った場合、第７レンズＧ７の像側面の曲率が小さくなり負のパワーが弱くなりすぎて、像面湾曲や非点収差の補正が難しくなる。
条件式（７）の下限は、より好ましくは0.23であり、さらにより好ましくは0.26である。条件式（７）の上限は、より好ましくは0.40であり、さらにより好ましくは0.37である。
【００４１】
本発明の一実施形態によれば、本実施形態に係る結像光学系は、第１レンズＧ１が両凹レンズであることが好ましい。
【００４２】
第１レンズＧ１を両凹レンズとすることにより、第１レンズＧ１による収差の発生を少なく抑えつつ、第１レンズＧ１の屈折力を容易に強くし、第１レンズＧ１の直径を小さくすることができる。
【００４３】
本発明の一実施形態によれば、本実施形態に係る結像光学系は、第２レンズＧ２が両凹レンズであることが好ましい。
【００４４】
第２レンズＧ２を両凹レンズとすることにより、第２レンズＧ２の屈折力を強くすることが可能となり、光学全長の短縮化を効率的に実現できる。
【００４５】
本発明の一実施形態によれば、本実施形態に係る結像光学系は、第５レンズＧ５の物体側面が物体側を向いた凹面であることが好ましい。
【００４６】
第５レンズＧ５の物体側面が物体側を向いた凹面であることにより、非点収差を良好に補正することができる。
【００４７】
本発明の一実施形態によれば、本実施形態に係る結像光学系は、第６レンズＧ６の物体側面が物体側を向いた凹面であることが好ましい。
【００４８】
第６レンズＧ６の物体側面が物体側を向いた凹面であることにより、サジタル非点収差を良好に補正することができる。
【００４９】
本発明の一実施形態によれば、本実施形態に係る結像光学系は、第７レンズＧ７が負の屈折力を有することが好ましい。
【００５０】
第５レンズＧ５、第６レンズＧ６及び第７レンズＧ７において、第７レンズＧ７が負の屈折力を有することから、第５レンズＧ５及び第６レンズＧ６を正の屈折力を有するようにして、第５レンズＧ５、第６レンズＧ６及び第７レンズＧ７をテレフォト光学系とすることができ、光学全長の短縮化に有利となる。
【００５１】
本発明の一実施形態によれば、本実施形態に係る結像光学系は、前記第７レンズＧ７の像側面が像側を向いた凹面であり、かつ光軸上以外にも変曲点があることが好ましい。
本実施形態に係る結像光学系は、前記第７レンズＧ７の像側面を像側を向いた凹面とし、かつ光軸上以外にも変曲点をもたせることにより、前記第７レンズＧ７の周辺部が正の屈折力を持ち、主光線入射角度（ＣＲＡ）の増大化を抑制することができる。
【００５２】
本発明の一実施形態によれば、本実施形態に係る結像光学系は、開口絞りが第２レンズＧ２と第３レンズＧ３の間に配置されることが好ましい。
【００５３】
開口絞りを正の屈折力を有する第２レンズＧ２と正の屈折力を有する第３レンズＧ３の間に配置して、正の屈折力を有する第２レンズＧ２と、開口絞りと、正の屈折力を有する第３レンズＧ３によって対称性のあるレンズ構成を形成することによって、諸収差の補正を容易に行うことができる。
【００５４】
本発明の一実施形態によれば、本実施形態に係る結像光学系は、開口絞りを第２レンズＧ２と第３レンズＧ３の間に配置し、かつ第２レンズＧ２の像側面を像側に向けて凸面とし、第３レンズＧ３の物体側面を物体側に向けて凸面とすることが好ましい。
【００５５】
開口絞りを第２レンズＧ２と第３レンズＧ３の間に配置することに加えて、かつ第２レンズＧ２の像側面を像側に向けて凸面とし、第３レンズＧ３の物体側面を物体側に向けて凸面とすることにより、第２レンズＧ２と第３レンズＧ３の間隔の周辺部分を大きくすることができ、開口絞り機構を容易に配置することができる。
【００５６】
本発明の一実施形態によれば、本実施形態に係る結像光学系は、第１レンズＧ１と第２レンズＧ２が空気間隔を介して配置されることが好ましい。
【００５７】
第１レンズＧ１と第２レンズＧ２が空気間隔を介して配置されるとは、すなわち、第１レンズＧ１と第２レンズＧ２が接合されていないことが好ましい。空気間隔を介することによって、収差の補正面が増加し、高性能化を実現することが可能となる。
【００５８】
本発明の一実施形態は、前記撮影レンズと、前記撮影レンズの像側に配置された撮像素子とを備えたことを特徴とする撮影装置であることが好ましい。ここで、前記撮像素子等に特に限定はなく、ＣＣＤセンサやＣＭＯＳセンサなどの固体撮像素子等も用いることができる。本件発明の一実施形態に係る撮像装置としては、デジタルカメラやビデオカメラ等のこれらの固体撮像素子を用いた撮像装置が例示される。また、当該撮像装置は、レンズが筐体に固定されたレンズ固定式の撮像装置であってもよいし、一眼レフカメラやミラーレス一眼カメラ等のレンズ交換式の撮像装置であってもよいのは勿論である。
【００５９】
本実施形態による撮像装置によれば、優れた光学性能を有し、小型の結像光学系を備えた撮像装置が構成される。
【００６０】
＜実施例＞
次に、本発明の実施例を数値表及び図に基づいて説明する。
各実施例に関し、共通して、諸元表において、Fは全系の焦点距離（ｍｍ）、FnoはＦナンバー、Wは半画角を示す。レンズ構成数値表において、No.は面番号、Rは曲率半径、Dは間隔又は厚さ、Ndはｄ線の屈折率、Vdはｄ線基準のアッベ数を示す。ASPHを付した面は非球面であり、STOPを付した面は開口絞りである。
【００６１】
各実施例の非球面係数は、非球面形状を以下の式（１）で定義した時の値である。
式（１）
2020187181.tif 000003
上記式において、「Ｚ」は光軸方向の基準面からの変位量、「r」は面頂点での曲率半径、「ｈ」は光軸に垂直な方向の光軸からの高さ、「ｋ」はコーニック係数、「Ａｎ」はｎ次の非球面係数とする。
【００６２】
各実施例の収差図（図２、図４、図６、図８、図１０）において、図面に向かって左側から順に、球面収差図（ｍｍ）、非点収差図（ｍｍ）、歪曲収差図（％）である。
球面収差図において、縦軸はＦナンバー、横軸にデフォーカスをとり、実線がｄ線（波長λ＝５８７．６ｎｍ）、短破線がＣ線（波長λ＝６５６．３ｎｍ）、長破線がＦ線（波長λ＝４８６．１ｎｍ）を示す。
非点収差図において、縦軸は像高（ｍｍ）又は半画角（ｄｅｇ）、横軸にデフォーカスをとり、実線がｄ線に対するサジタル面（Ｓ）、破線がｄ線に対するメリジオナル断面（Ｔ）を示す。
歪曲収差図において、縦軸は像高（ｍｍ）又は半画角（ｄｅｇ）、横軸に％を取っている。
【００６３】
（実施例１）
実施例１の結像光学系は、物体側から順に、負の屈折力を有する第１レンズＧ１、正の屈折力を有する第２レンズＧ２、開口絞り、正の屈折力を有する第３レンズＧ３、負の屈折力を有する第４レンズＧ４、正の屈折力を有する第５レンズＧ５、正の屈折力を有する第６レンズＧ６、負の屈折力を有する第７レンズＧ７から構成される。
【００６４】
（諸元表）
F          9.0610
Fno        1.8712
W         39.6731
【００６５】
(レンズ構成数値表)
No.         R             D             Nd      Vd
1ASPH    -60.0000        0.5000       1.68893  31.16
2ASPH      9.5334        0.2884
3ASPH      9.1155        2.0205       1.85135  40.10
4ASPH    -24.4204        0.5020
5STOP      0.0000        0.7580
6ASPH      6.5271        1.2983       1.72903  54.04
7ASPH    -35.3103        0.1000
8ASPH     11.4342        0.5500       1.82115  24.06
9ASPH      4.4563        1.3006
10ASPH    -50.0000        0.9260       1.53113  55.75
11ASPH    -25.9202        0.6975
12ASPH     -3.0845        0.9833       1.53113  55.75
13ASPH     -3.0000        0.1000
14ASPH      3.4192        1.3278       1.53113  55.75
15ASPH      2.8048        1.6763
16          0.0000        0.8000       1.51680  64.20
17          0.0000        1.0000
18          0.0000        0.0000
【００６６】
（非球面係数）
No.    K             A4            A6            A8            A10
1 -10.00000E+00  -7.99317E-04  -1.64525E-04   2.21408E-05  -9.89043E-07
2  -6.45734E+00   2.30405E-03  -3.59904E-04  -1.17491E-05   4.75302E-06
3   1.24671E+00   6.85099E-04  -1.16966E-04  -3.48107E-05   4.91985E-06
4   2.46637E-01  -6.93388E-04   1.60708E-05  -5.27921E-06   4.52765E-07
6   2.66850E+00  -2.01746E-03   4.42165E-04  -2.02037E-04   3.95010E-05
7  10.00000E+00   2.75107E-03   2.85235E-04  -5.50655E-04   1.54971E-04
8   2.64773E+00  -1.58446E-03   1.05724E-03  -7.33691E-04   1.87585E-04
9  -8.33382E+00   6.65723E-03  -4.72599E-04  -1.15091E-04   4.97207E-05
10   7.44502E+00  -4.63682E-03   2.43882E-04  -6.73690E-05   1.02683E-05
11   9.78455E+00   1.02906E-03  -8.42629E-04   1.03912E-04  -1.17803E-05
12  -6.71069E+00   1.20711E-02  -3.91600E-03   6.88294E-04  -7.34313E-05
13  -5.31227E+00  -2.81463E-03  -4.89863E-04   1.39514E-04  -1.07071E-05
14  -7.99814E-01  -2.13101E-02   1.48907E-03  -7.64171E-05   2.53235E-06
15  -4.16315E+00  -6.87367E-03   4.38250E-04  -2.15969E-05   6.70098E-07
No.    A12           A14
1   1.44187E-08   0.00000E+00
2  -2.00543E-07   0.00000E+00
3  -1.76397E-07   0.00000E+00
4  -1.23010E-08   0.00000E+00
6  -3.96615E-06   1.54075E-07
7  -1.81159E-05   7.87855E-07
8  -2.11882E-05   9.02252E-07
9  -6.43085E-06   2.96217E-07
10  -5.49548E-07   0.00000E+00
11   5.22413E-07   0.00000E+00
12   4.04322E-06  -8.93947E-08
13   3.70487E-07  -5.34213E-09
14  -4.61996E-08   3.47059E-10
15  -1.23416E-08   1.00555E-10
【００６７】
（実施例２)
実施例２の結像光学系は、物体側から順に、負の屈折力を有する第１レンズＧ１、正の屈折力を有する第２レンズＧ２、開口絞り、正の屈折力を有する第３レンズＧ３、負の屈折力を有する第４レンズＧ４、負の屈折力を有する第５レンズＧ５、正の屈折力を有する第６レンズＧ６、負の屈折力を有する第７レンズＧ７から構成される。
【００６８】
（諸元表）
F          9.0610
Fno        1.8704
W         39.6506
【００６９】
(レンズ構成数値表)
No.         R             D             Nd      Vd
1ASPH    -40.1819        0.5000       1.68893  31.16
2ASPH      7.2193        0.2367
3ASPH      6.8498        2.1742       1.85135  40.10
4ASPH    -25.0773        0.5810
5STOP      0.0000        0.6256
6ASPH      6.8263        1.2634       1.72903  54.04
7ASPH    -18.3990        0.1000
8ASPH     12.1327        0.5500       1.82115  24.06
9ASPH      4.2494        1.5249
10ASPH    -36.2718        0.6607       1.53113  55.75
11ASPH    -60.8868        0.5631
12ASPH     -3.6412        1.0438       1.53113  55.75
13ASPH     -3.1500        0.1000
14ASPH      3.8187        1.4240       1.53113  55.75
15ASPH      2.9855        1.6139
16          0.0000        0.8000       1.51680  64.20
17          0.0000        1.0000
18          0.0000        0.0000
【００７０】
（非球面係数）
No.    K             A4            A6            A8            A10
1   2.68675E+00  -7.76507E-04  -1.46573E-04   2.15527E-05  -1.05632E-06
2  -2.20548E+00   2.35372E-03  -4.09810E-04  -1.12883E-05   5.14120E-06
3   1.11990E+00   6.28509E-04  -1.67345E-04  -3.39721E-05   4.77441E-06
4  -3.16516E+00  -4.94297E-04   3.33112E-05  -7.44673E-06   2.75362E-07
6   2.64670E+00  -1.92780E-03   5.12004E-04  -2.01356E-04   3.91704E-05
7 -10.00000E+00   3.64355E-03   3.51315E-04  -5.43364E-04   1.53363E-04
8   2.95293E+00  -1.95060E-03   1.29070E-03  -7.47190E-04   1.86071E-04
9  -8.09818E+00   6.45059E-03  -4.49379E-04  -1.15076E-04   4.97437E-05
10  -2.72292E+00  -6.30905E-03   5.50127E-04  -8.59729E-05   9.25927E-06
11   1.00000E+01   2.34499E-04  -8.34958E-04   1.08086E-04  -1.15399E-05
12  -9.53048E+00   1.27899E-02  -4.12667E-03   7.00186E-04  -7.29830E-05
13  -6.17079E+00  -3.50658E-03  -4.59206E-04   1.38656E-04  -1.06953E-05
14  -7.93820E-01  -2.03360E-02   1.58474E-03  -8.48609E-05   2.77212E-06
15  -5.17389E+00  -6.24216E-03   4.18415E-04  -2.12968E-05   6.70547E-07
No.    A12           A14
1   1.69975E-08   0.00000E+00
2  -2.23878E-07   0.00000E+00
3  -1.70850E-07   0.00000E+00
4   5.99775E-09   0.00000E+00
6  -3.90806E-06   1.53741E-07
7  -1.83854E-05   8.18499E-07
8  -2.13316E-05   9.18566E-07
9  -6.59439E-06   3.03777E-07
10  -4.24248E-07   0.00000E+00
11   4.93624E-07   0.00000E+00
12   4.01014E-06  -8.80937E-08
13   3.76197E-07  -5.56950E-09
14  -4.84986E-08   3.47059E-10
15  -1.24187E-08   1.01244E-10
【００７１】
（実施例３)
実施例３の結像光学系は、物体側から順に、負の屈折力を有する第１レンズＧ１、正の屈折力を有する第２レンズＧ２、開口絞り、正の屈折力を有する第３レンズＧ３、負の屈折力を有する第４レンズＧ４、正の屈折力を有する第５レンズＧ５、正の屈折力を有する第６レンズＧ６、負の屈折力を有する第７レンズＧ７から構成される。
【００７２】
（諸元表）
F          9.0610
Fno        1.8779
W         39.1173
【００７３】
(レンズ構成数値表)
No.         R             D             Nd      Vd
1ASPH    -59.4690        0.5000       1.68893  31.16
2ASPH      7.4597        0.2234
3ASPH      7.0278        1.9687       1.85135  40.10
4ASPH    -49.0829        0.6418
5STOP      0.0000        0.7512
6ASPH      5.9492        1.6876       1.72903  54.04
7ASPH     -7.8432        0.1000
8ASPH   -238.5598        0.5500       1.90366  31.31
9ASPH      4.5531        1.1311
10ASPH    -48.6547        0.8006       1.53113  55.75
11ASPH    -14.2426        0.5786
12ASPH     -3.0002        0.8951       1.53113  55.75
13ASPH     -3.0000        0.1000
14ASPH      3.5917        1.4141       1.53113  55.75
15ASPH      2.9272        1.9911
16          0.0000        0.8000       1.51680  64.20
17          0.0000        1.0000
18          0.0000        0.0000
【００７４】
（非球面係数）
No.    K             A4            A6            A8            A10
1  -7.55222E+00  -9.95733E-04  -1.36161E-04   2.26931E-05  -1.05733E-06
2  -2.34711E+00   2.24577E-03  -3.95337E-04  -7.73337E-06   5.03807E-06
3   9.81655E-01   7.15970E-04  -1.73406E-04  -3.36506E-05   5.23485E-06
4   7.94258E+00  -1.38987E-03   8.35520E-05  -6.18286E-06  -1.61903E-07
6   2.44162E+00  -4.11251E-03   3.51737E-04  -1.92185E-04   3.97746E-05
7  -3.40169E+00   3.39462E-03   2.51556E-04  -5.24920E-04   1.53984E-04
8   8.75000E+00  -2.81663E-03   1.62747E-03  -7.50284E-04   1.86999E-04
9 -10.00000E+00   5.21312E-03  -2.47202E-04  -1.40128E-04   4.94685E-05
10  -5.09606E+00  -9.29964E-04   4.22347E-04  -1.20751E-04   1.31242E-05
11  -9.33118E+00   4.83079E-03  -8.48776E-04   1.00381E-04  -1.28027E-05
12  -6.61377E+00   1.53724E-02  -4.16877E-03   7.17196E-04  -7.41197E-05
13  -6.10315E+00  -1.85333E-03  -4.95684E-04   1.35619E-04  -1.04970E-05
14  -7.78480E-01  -1.96398E-02   1.36925E-03  -7.18452E-05   2.44975E-06
15  -4.30916E+00  -6.01441E-03   3.67203E-04  -1.86480E-05   5.96277E-07
No.      A12           A14
1   1.57326E-08   0.00000E+00
2  -1.73536E-07   0.00000E+00
3  -1.72457E-07   0.00000E+00
4   2.80262E-08   0.00000E+00
6  -4.04801E-06   1.40261E-07
7  -1.81859E-05   7.62593E-07
8  -2.16815E-05   9.21901E-07
9  -6.24843E-06   2.73515E-07
10  -4.87380E-07   0.00000E+00
11   6.04684E-07   0.00000E+00
12   3.84436E-06  -7.55993E-08
13   3.76798E-07  -5.72301E-09
14  -4.56426E-08   3.47059E-10
15  -1.13788E-08   9.65195E-11
【００７５】
（実施例４）
実施例４の結像光学系は、物体側から順に、負の屈折力を有する第１レンズＧ１、正の屈折力を有する第２レンズＧ２、開口絞り、正の屈折力を有する第３レンズＧ３、負の屈折力を有する第４レンズＧ４、負の屈折力を有する第５レンズＧ５、正の屈折力を有する第６レンズＧ６、負の屈折力を有する第７レンズＧ７から構成される。
【００７６】
（諸元表）
F          9.5610
Fno        2.3806
W         37.4922
【００７７】
（レンズ構成数値表）
No.         R             D             Nd      Vd
1ASPH    -60.0000        0.5000       1.68893  31.16
2ASPH      7.2023        0.2317
3ASPH      8.3326        1.9078       1.85135  40.10
4ASPH    -20.3540        1.3873
5STOP      0.0000        1.1660
6ASPH      6.4426        1.3382       1.72903  54.04
7ASPH    -29.2730        0.1000
8ASPH     10.2118        0.5500       1.82115  24.06
9ASPH      4.3356        1.6291
10ASPH    -57.1382        0.6306       1.53113  55.75
11ASPH   -207.9615        0.5667
12ASPH     -3.6960        1.0582       1.53113  55.75
13ASPH     -3.0531        0.1000
14ASPH      3.8273        1.3541       1.53113  55.75
15ASPH      2.7878        1.9445
16          0.0000        0.8000       1.51680  64.20
17          0.0000        1.0000
18          0.0000        0.0000
【００７８】
（非球面係数）
No.    K             A4            A6            A8            A10
1   9.73690E+00  -9.45222E-04  -1.55718E-04   2.16836E-05  -1.04078E-06
2  -3.29834E+00   2.18628E-03  -4.13831E-04  -1.23730E-05   5.10339E-06
3   1.14499E+00   5.07626E-04  -1.64869E-04  -3.32972E-05   4.82535E-06
4   8.02504E+00  -6.33167E-04   2.14547E-05  -6.39055E-06   3.91920E-07
6   2.88755E+00  -1.77368E-03   4.32365E-04  -1.97534E-04   3.94006E-05
7  -4.54961E+00   4.08626E-03   3.52363E-04  -5.44045E-04   1.52778E-04
8   3.93818E+00  -1.75318E-03   1.27623E-03  -7.52071E-04   1.86048E-04
9  -8.06453E+00   6.40343E-03  -4.53365E-04  -1.14187E-04   4.98632E-05
10  -4.34282E+00  -5.43007E-03   4.68809E-04  -8.73972E-05   9.41359E-06
11   1.00000E+01   1.25577E-03  -8.63304E-04   1.05841E-04  -1.16307E-05
12  -9.60937E+00   1.42523E-02  -4.12863E-03   6.98513E-04  -7.33823E-05
13  -6.58858E+00  -2.77642E-03  -4.71779E-04   1.37331E-04  -1.07481E-05
14  -8.04578E-01  -2.01308E-02   1.46731E-03  -7.66514E-05   2.55485E-06
15  -5.43241E+00  -5.52665E-03   3.18309E-04  -1.44919E-05   4.07176E-07
No.    A12           A14
1   1.65008E-08   0.00000E+00
2  -2.11929E-07   0.00000E+00
3  -1.68172E-07   0.00000E+00
4  -7.06244E-09   0.00000E+00
6  -4.02991E-06   1.39933E-07
7  -1.84601E-05   8.05772E-07
8  -2.13152E-05   9.13349E-07
9  -6.60763E-06   3.07005E-07
10  -4.44478E-07   0.00000E+00
11   4.76811E-07   0.00000E+00
12   3.98771E-06  -8.56704E-08
13   3.74615E-07  -5.30932E-09
14  -4.65621E-08   3.47059E-10
15  -6.76425E-09   4.87156E-11
【００７９】
（実施例５）
実施例５の結像光学系は、物体側から順に、負の屈折力を有する第１レンズＧ１、正の屈折力を有する第２レンズＧ２、開口絞り、正の屈折力を有する第３レンズＧ３、負の屈折力を有する第４レンズＧ４、負の屈折力を有する第５レンズＧ５、正の屈折力を有する第６レンズＧ６、負の屈折力を有する第７レンズＧ７から構成される。
【００８０】
（諸元表）
F          4.5279
Fno        1.8953
W         43.0000
【００８１】
（レンズ構成数値表）
No.         R             D             Nd      Vd
1          0.0000        0.0000
2ASPH     -3.5490        0.7273       1.53113  55.75
3ASPH      3.6218        0.2000
4ASPH      2.3342        1.6013       1.53113  55.75
5ASPH     -4.7294        0.0712
6STOP      0.0000        0.1288
7ASPH      3.5208        1.6169       1.53113  55.75
8ASPH     -4.4063        0.1000
9ASPH     -7.7044        0.4317       1.65096  21.51
10ASPH      4.4573        0.2000
11         22.6884        0.3035       1.53113  55.75
12         25.9476        0.2000
13ASPH    -32.3231        1.2855       1.65096  21.51
14ASPH     -2.5725        0.1202
15ASPH      4.1734        0.5175       1.65096  21.51
16ASPH      1.5065        0.8531
17          0.0000        0.4000       1.51680  64.20
18          0.0000        0.5660
19          0.0000        0.0000
【００８２】
（非球面係数）
No.    K             A4            A6            A8            A10
2  -2.66071E-01   3.48007E-02  -8.38690E-03   1.50845E-03  -1.53475E-04
3  -1.01817E+00  -5.34179E-03   1.85838E-02  -9.39753E-03   2.44157E-03
4  -2.64697E+00  -2.82684E-02   1.74984E-02  -7.66512E-03   1.65418E-03
5  -1.19299E+01  -1.74543E-03  -6.50626E-03   1.95580E-03  -2.96300E-04
7   1.70443E-01   2.71100E-02  -1.01686E-02   3.28378E-03   8.45885E-04
8   2.49301E-01   4.13725E-02  -7.35554E-02   7.64984E-02  -4.28154E-02
9   2.04746E+01   2.20051E-02  -8.18930E-02   9.48505E-02  -5.48791E-02
10  -7.14756E+00   9.38008E-03  -2.96526E-02   3.73411E-02  -2.11181E-02
13   2.83457E+02   1.69911E-02  -2.66225E-02   1.45464E-02  -6.72806E-03
14 -10.00000E+00   5.43304E-03  -2.86994E-02   1.78620E-02  -6.17396E-03
15  -3.10456E-01  -9.94554E-02   1.43312E-02   4.13219E-04  -2.65807E-04
16  -6.26085E+00  -4.28858E-02   8.69099E-03  -9.39670E-04   4.80754E-05
No.    A12           A14
2   6.41741E-06   0.00000E+00
3  -2.17583E-04   0.00000E+00
4  -1.23781E-04   0.00000E+00
5   1.71864E-05   0.00000E+00
7  -6.80036E-04   1.22376E-04
8   1.23029E-02  -1.44590E-03
9   1.55955E-02  -1.82366E-03
10   6.23318E-03  -7.59993E-04
13   1.82078E-03  -2.00646E-04
14   1.14628E-03  -8.60263E-05
15   2.86489E-05  -1.66970E-06
16   3.01068E-07  -1.02613E-07
【００８３】
撮影装置１００の実施例は、図１１に示すように、撮影レンズ１１０が、撮影装置ハウジング１０２にレンズマウント１０４によって装着されたレンズ鏡筒１０６によって支持されている。被写体像が撮影レンズ１１０によって結像面ＩＭＧに結像され、被写体像はデイスプレー１１２に表示される。
【００８４】
（条件式に係る数値）
実施例1    実施例２    実施例３    実施例４    実施例５
(1-1) f2/f             0.89       0.72         0.81        0.75        0.71
(1-2) f3/f             0.85       0.77         0.54        0.77        0.88
(1-3) thi_max/oal      0.09       0.10         0.09        0.16        0.02
(2)   |f1|/f           1.31       0.98         1.06        0.97        0.72
(3)   |f4|/f           1.02       0.91         0.55        1.00        0.94
(4)   thiG1G2/oal      0.0194     0.0160       0.0151      0.0145      0.0215
(5)   allthi/f         1.25       1.25         1.25        1.31        1.66
(6)   ｆ567/f          3.76       4.82         2.79        5.94       10.73
(7)   Ｒ7/ｆ           0.31       0.33         0.32        0.29        0.33
【符号の説明】
【００８５】
Ｇ１          第１レンズ
Ｇ２          第２レンズ
Ｇ３          第３レンズ
Ｇ４          第４レンズ
Ｇ５          第５レンズ
Ｇ６          第６レンズ
Ｇ７          第７レンズ
１００        撮影装置
１０２        撮影装置ハウジング
１０４        レンズマウント
１０６        レンズ鏡筒
１１０        撮影レンズ
【図１】
2020187181.tif 000004
【図２】
2020187181.tif 000005
【図３】
2020187181.tif 000006
【図４】
2020187181.tif 000007
【図５】
2020187181.tif 000008
【図６】
2020187181.tif 000009
【図７】
2020187181.tif 000010
【図８】
2020187181.tif 000011
【図９】
2020187181.tif 000012
【図１０】
2020187181.tif 000013
【図１１】
2020187181.tif 000014